(57)【要約】【課題】配線を無くして外観を整然とさせ、容易に１台のシンク装置が複数のソース装置と通信できるとともに、従来に比べて高速な表示手段の設定情報の読込みを実現できるシンク装置を提供する。【解決手段】映像信号を無線送信するソース装置（２，３）と、無線送信された映像信号を受信し、受信した映像信号をディスプレイ（１３）に表示するシンク装置（１）とを含む無線通信システムにおいて、シンク装置（１）は、ＲＯＭ（１１）からＥＤＩＤ情報を読み出してそれを含む無線データ信号をソース装置（２，３）に無線送信する。ソース装置（２，３）はシンク装置（１）から無線送信されたＥＤＩＤ情報を含む無線データ信号を無線受信し、ＥＤＩＤ情報に基づいて映像信号をシンク装置（１）に無線送信する。【選択図】図１
2008035517.tif 000002
【特許請求の範囲】
【請求項１】
映像信号を無線送信するソース装置と、前記無線送信された映像信号を受信し、前記受信した映像信号を表示手段に表示するシンク装置とを備えた無線通信システムのためのシンク装置において、
前記表示手段の設定情報を格納する第１の記憶手段と、
所定の無線データ信号を前記ソース装置に無線送信する無線送信手段と、
前記第１の記憶手段から前記設定情報を読み出して、前記読み出した設定情報を含む無線データ信号を無線送信するように前記無線送信手段を制御する制御手段と、
前記第１の記憶手段から読み出した設定情報を格納する第２の記憶手段とを備え、
前記第２の記憶手段はさらに、前記ソース装置からの無線データ信号に含まれるソース装置の第１の識別情報と、前記ソース装置に割り当てられる第２の識別情報とを対応付けて格納するノード情報テーブルを格納し、
前記制御手段は、前記第１の記憶手段から前記設定情報を読み出して前記第２の記憶手段に格納し、前記第２の記憶手段から前記設定情報を読み出し、前記ソース装置からの無線データ信号を無線受信したとき、前記無線受信した無線データ信号に含まれる前記第１の識別情報に対応する前記第２の識別情報を前記ノード情報テーブルから読み出して、当該第２の識別情報と、前記第２の記憶手段から読み出された設定情報とを含む無線データ信号を前記ソース装置に無線送信するように前記無線送信手段を制御することを特徴とするシンク装置。
【請求項２】
前記第２の記憶手段の読み出し速度は、前記第１の記憶手段の読み出し速度よりも速いことを特徴とする請求項１記載のシンク装置。
【請求項３】
上記制御手段は、前記ソース装置からの要求信号に応答して、当該第２の識別情報と、前記第２の記憶手段から読み出された設定情報とを含む無線データ信号を無線送信するように前記無線送信手段を制御する請求項１又は２記載のシンク装置。
【請求項４】
前記制御手段は、前記第１の記憶手段から設定情報を読み出して前記第２の記憶手段に格納するとき、前記設定情報のうちの少なくとも一部を選択して格納することを特徴とする請求項１乃至３のうちのいずれか１つに記載のシンク装置。
【請求項５】
前記設定情報のうちの少なくとも一部は、前記シンク装置が受信可能な無線伝送速度で伝送可能な設定情報であることを特徴とする請求項４記載のシンク装置。
【請求項６】
前記第１の識別情報は機器ＩＤであり、前記第２の識別情報は物理アドレスであることを特徴とする請求項１乃至５のうちのいずれか１つに記載のシンク装置。
【請求項７】
映像信号を無線送信するソース装置と、請求項１乃至６のうちのいずれか１つに記載のシンク装置とを備えた無線通信システムであって、
前記ソース装置は、前記シンク装置から無線送信された前記設定情報を含む無線データ信号を無線受信し、前記設定情報に基づいて映像信号を前記シンク装置に無線送信する無線送受信手段を備えたことを特徴とする無線通信システム。
【請求項８】
映像信号を無線送信するソース装置と、前記無線送信された映像信号を受信し、前記受信した映像信号を表示手段に表示するシンク装置とを備えた無線通信システムの制御方法において、
前記シンク装置は、前記表示手段の設定情報を格納する第１の記憶手段と、前記第１の記憶手段から読み出した設定情報を格納する第２の記憶手段とを備え、
前記第２の記憶手段はさらに、前記ソース装置からの無線データ信号に含まれるソース装置の第１の識別情報と、前記ソース装置に割り当てられる第２の識別情報とを対応付けて格納するノード情報テーブルを格納し、
前記シンク装置は、前記第１の記憶手段から前記設定情報を読み出して前記第２の記憶手段に格納し、前記第２の記憶手段から前記設定情報を読み出し、前記ソース装置からの無線データ信号を無線受信したとき、前記無線受信した無線データ信号に含まれる前記第１の識別情報に対応する前記第２の識別情報を前記ノード情報テーブルから読み出して、当該第２の識別情報と、前記第２の記憶手段から読み出された設定情報とを含む無線データ信号を前記ソース装置に無線送信するステップと、
前記ソース装置は、前記シンク装置から無線送信された前記設定情報を含む無線データ信号を無線受信し、前記設定情報に基づいて映像信号を前記シンク装置に無線送信するステップとを含むことを特徴とする無線通信システムの制御方法。
【請求項９】
映像信号を無線送信するソース装置用アダプタ装置と、前記無線送信された映像信号を受信し、前記受信した映像信号をシンク装置の表示手段に出力して表示するシンク装置用アダプタ装置とを備えた無線通信システムのためのシンク装置用アダプタ装置であって、
所定の無線データ信号をソース装置用アダプタ装置に無線送信する無線送信手段と、
前記シンク装置から読み出した設定情報を格納する記憶手段と、
前記記憶手段から設定情報を読み出して、前記読み出した設定情報を含む無線データ信号を前記ソース装置用アダプタ装置に無線送信するように前記無線送信手段を制御する制御手段とを備え、
前記記憶手段はさらに、前記ソース装置用アダプタ装置からの無線データ信号に含まれるソース装置の第１の識別情報と、前記ソース装置に割り当てられる第２の識別情報とを対応付けて格納するノード情報テーブルを格納し、
前記制御手段は、前記ソース装置用アダプタ装置からの無線データ信号を無線受信したとき、前記無線受信した無線データ信号に含まれる前記第１の識別情報に対応する前記第２の識別情報を前記ノード情報テーブルから読み出して、当該第２の識別情報と、前記記憶手段から読み出された設定情報とを含む無線データ信号を前記ソース装置用アダプタ装置に無線送信するように前記無線送信手段を制御することを特徴とするシンク装置用アダプタ装置。
【請求項１０】
上記制御手段は、前記ソース装置用アダプタ装置からの要求信号に応答して、当該第２の識別情報と、前記第２の記憶手段から読み出された設定情報とを含む無線データ信号を無線送信するように前記無線送信手段を制御する請求項９記載のシンク装置用アダプタ装置。
【請求項１１】
映像信号を無線送信するソース装置用アダプタ装置と、請求項９又は１０記載のシンク装置用アダプタ装置とを備えた無線通信システムであって、
前記ソース装置用アダプタ装置は、前記シンク装置用アダプタ装置から無線送信された前記設定情報を含む無線データ信号を無線受信し、前記設定情報に基づいて映像信号を前記シンク装置用アダプタ装置に無線送信する無線送受信手段を備えたことを特徴とする無線通信システム。
【請求項１２】
映像信号を無線送信するソース装置用アダプタ装置と、前記無線送信された映像信号を受信し、前記受信した映像信号をシンク装置の表示手段に出力して表示するシンク装置用アダプタ装置とを備えた無線通信システムの制御方法であって、
前記シンク装置用アダプタ装置は、シンク装置から読み出した設定情報を格納する記憶手段を備え、
前記記憶手段はさらに、前記ソース装置用アダプタ装置からの無線データ信号に含まれるソース装置の第１の識別情報と、前記ソース装置に割り当てられる第２の識別情報とを対応付けて格納するノード情報テーブルを格納する記憶手段を備え、
前記シンク装置用アダプタ装置は、前記シンク装置から読み出した設定情報を記憶手段に格納するステップと、
前記シンク装置用アダプタ装置は、前記記憶手段から設定情報を読み出して、前記ソース装置用アダプタ装置からの無線データ信号を無線受信したとき、前記無線受信した無線データ信号に含まれる前記第１の識別情報に対応する前記第２の識別情報を前記ノード情報テーブルから読み出して、当該第２の識別情報と、前記記憶手段から読み出された設定情報とを含む無線データ信号を前記ソース装置用アダプタ装置に無線送信するステップと、
前記ソース装置用アダプタ装置は、前記シンク装置用アダプタ装置から無線送信された前記設定情報を含む無線データ信号を無線受信し、前記設定情報に基づいて映像信号を前記シンク装置用アダプタ装置に無線送信するステップとを含むことを特徴とする無線通信システムの制御方法。
【発明の詳細な説明】
【技術分野】
【０００１】
本発明は、ＨＤＭＩ（High-Definition Multimedia Interface）規格に従って映像信号を無線送受信する無線通信システムにおいて、表示手段の設定情報を無線送受信するシンク装置、ソース装置、シンク装置用アダプタ装置、ソース装置用アダプタ装置、無線通信システム及びその制御方法に関する。
【背景技術】
【０００２】
ＨＤＭＩ（High-Definition Multimedia Interface）において有線を介してＥＤＩＤ（Extended Display Identification Data）を送受信して物理アドレスを設定する伝送システムが特許文献１に開示されている。特許文献１に係る伝送システムは、受信器と送信器とシリアルリンクを具備し、エンコード処理されたデータ（例えば、ビデオ、オーディオ、及び追加的に他の補助データ）が送信機から受信機に伝送される。
【０００３】
【特許文献１】特表２００５−５１４８７３号公報。
【非特許文献１】High-Definition Multimedia Interface Specification, Version1.1, HDMI Licensing, LLC, California in U.S.A., May 20,2004.
【発明の開示】
【発明が解決しようとする課題】
【０００４】
しかしながら、上記特許文献１に係る伝送方法及びシステムにおいては、ＥＤＩＤを送受信して物理アドレスを設定するために有線を用いるので、配線によって外観が乱雑に見えるだけでなく、通信装置が１本の配線につき１台の通信装置としか通信することができず、他の通信装置と通信する場合には、いちいちケーブルを繋ぎ替える手間が掛かるという問題点があった。
【０００５】
また、通信装置間のＥＤＩＤ情報の読込みにＤＤＣ（Display Data Channel）を使用しているため、ＥＤＩＤ情報の読込みに時間が掛かるという問題点があった。
【０００６】
本発明の目的は以上の問題点を解決し、配線を無くして外観を整然とさせ、容易に１台のシンク装置が複数のソース装置と通信できるとともに、従来に比べて高速な表示手段の設定情報の読込みを実現できるシンク装置、ソース装置、シンク装置用アダプタ装置、ソース装置用アダプタ装置、無線通信システム及びその制御方法を提供することにある。
【課題を解決するための手段】
【０００７】
第１の発明に係るシンク装置は、映像信号を無線送信するソース装置と、前記無線送信された映像信号を受信し、前記受信した映像信号を表示手段に表示するシンク装置とを備えた無線通信システムのためのシンク装置において、前記表示手段の設定情報を格納する第１の記憶手段と、所定の無線データ信号を前記ソース装置に無線送信する無線送信手段と、前記第１の記憶手段から前記設定情報を読み出して、前記読み出した設定情報を含む無線データ信号を無線送信するように前記無線送信手段を制御する制御手段と、前記第１の記憶手段から読み出した設定情報を格納する第２の記憶手段とを備え、前記第２の記憶手段はさらに、前記ソース装置からの無線データ信号に含まれるソース装置の第１の識別情報と、前記ソース装置に割り当てられる第２の識別情報とを対応付けて格納するノード情報テーブルを格納し、前記制御手段は、前記第１の記憶手段から前記設定情報を読み出して前記第２の記憶手段に格納し、前記第２の記憶手段から前記設定情報を読み出し、前記ソース装置からの無線データ信号を無線受信したとき、前記無線受信した無線データ信号に含まれる前記第１の識別情報に対応する前記第２の識別情報を前記ノード情報テーブルから読み出して、当該第２の識別情報と、前記第２の記憶手段から読み出された設定情報とを含む無線データ信号を前記ソース装置に無線送信するように前記無線送信手段を制御することを特徴とする。
【０００８】
上記シンク装置において、前記第２の記憶手段の読み出し速度は、前記第１の記憶手段の読み出し速度よりも速いことを特徴とする。
【０００９】
また、上記シンク装置において、上記制御手段は、前記ソース装置からの要求信号に応答して、当該第２の識別情報と、前記第２の記憶手段から読み出された設定情報とを含む無線データ信号を無線送信するように前記無線送信手段を制御する。
【００１０】
さらに、上記シンク装置において、前記制御手段は、前記第１の記憶手段から設定情報を読み出して前記第２の記憶手段に格納するとき、前記設定情報のうちの少なくとも一部を選択して格納することを特徴とする。ここで、前記設定情報のうちの少なくとも一部は、前記シンク装置が受信可能な無線伝送速度で伝送可能な設定情報であることを特徴とする。
【００１１】
またさらに、上記シンク装置において、前記第１の識別情報は機器ＩＤであり、前記第２の識別情報は物理アドレスであることを特徴とする。
【００１２】
第２の発明に係る無線通信システムは、映像信号を無線送信するソース装置と、請求項１乃至６のうちのいずれか１つに記載のシンク装置とを備えた無線通信システムであって、
前記ソース装置は、前記シンク装置から無線送信された前記設定情報を含む無線データ信号を無線受信し、前記設定情報に基づいて映像信号を前記シンク装置に無線送信する無線送受信手段を備えたことを特徴とする。
【００１３】
第３の発明に係る無線通信システムの制御方法は、映像信号を無線送信するソース装置と、前記無線送信された映像信号を受信し、前記受信した映像信号を表示手段に表示するシンク装置とを備えた無線通信システムの制御方法において、前記シンク装置は、前記表示手段の設定情報を格納する第１の記憶手段と、前記第１の記憶手段から読み出した設定情報を格納する第２の記憶手段とを備え、前記第２の記憶手段はさらに、前記ソース装置からの無線データ信号に含まれるソース装置の第１の識別情報と、前記ソース装置に割り当てられる第２の識別情報とを対応付けて格納するノード情報テーブルを格納し、前記シンク装置は、前記第１の記憶手段から前記設定情報を読み出して前記第２の記憶手段に格納し、前記第２の記憶手段から前記設定情報を読み出し、前記ソース装置からの無線データ信号を無線受信したとき、前記無線受信した無線データ信号に含まれる前記第１の識別情報に対応する前記第２の識別情報を前記ノード情報テーブルから読み出して、当該第２の識別情報と、前記第２の記憶手段から読み出された設定情報とを含む無線データ信号を前記ソース装置に無線送信するステップと、前記ソース装置は、前記シンク装置から無線送信された前記設定情報を含む無線データ信号を無線受信し、前記設定情報に基づいて映像信号を前記シンク装置に無線送信するステップとを含むことを特徴とする。
【００１４】
第４の発明に係るシンク装置用アダプタ装置は、映像信号を無線送信するソース装置用アダプタ装置と、前記無線送信された映像信号を受信し、前記受信した映像信号をシンク装置の表示手段に出力して表示するシンク装置用アダプタ装置とを備えた無線通信システムのためのシンク装置用アダプタ装置であって、所定の無線データ信号をソース装置用アダプタ装置に無線送信する無線送信手段と、前記シンク装置から読み出した設定情報を格納する記憶手段と、前記記憶手段から設定情報を読み出して、前記読み出した設定情報を含む無線データ信号を前記ソース装置用アダプタ装置に無線送信するように前記無線送信手段を制御する制御手段とを備え、前記記憶手段はさらに、前記ソース装置用アダプタ装置からの無線データ信号に含まれるソース装置の第１の識別情報と、前記ソース装置に割り当てられる第２の識別情報とを対応付けて格納するノード情報テーブルを格納し、前記制御手段は、前記ソース装置用アダプタ装置からの無線データ信号を無線受信したとき、前記無線受信した無線データ信号に含まれる前記第１の識別情報に対応する前記第２の識別情報を前記ノード情報テーブルから読み出して、当該第２の識別情報と、前記記憶手段から読み出された設定情報とを含む無線データ信号を前記ソース装置用アダプタ装置に無線送信するように前記無線送信手段を制御することを特徴とする。
【００１５】
上記シンク装置用アダプタ装置において、上記制御手段は、前記ソース装置用アダプタ装置からの要求信号に応答して、当該第２の識別情報と、前記第２の記憶手段から読み出された設定情報とを含む無線データ信号を無線送信するように前記無線送信手段を制御する。
【００１６】
第５の発明に係る無線通信システムにおいて、映像信号を無線送信するソース装置用アダプタ装置と、請求項９又は１０記載のシンク装置用アダプタ装置とを備えた無線通信システムであって、前記ソース装置用アダプタ装置は、前記シンク装置用アダプタ装置から無線送信された前記設定情報を含む無線データ信号を無線受信し、前記設定情報に基づいて映像信号を前記シンク装置用アダプタ装置に無線送信する無線送受信手段を備えたことを特徴とする。
【００１７】
第６の発明に係る無線通信システムの制御方法において、映像信号を無線送信するソース装置用アダプタ装置と、前記無線送信された映像信号を受信し、前記受信した映像信号をシンク装置の表示手段に出力して表示するシンク装置用アダプタ装置とを備えた無線通信システムの制御方法であって、前記シンク装置用アダプタ装置は、シンク装置から読み出した設定情報を格納する記憶手段を備え、前記記憶手段はさらに、前記ソース装置用アダプタ装置からの無線データ信号に含まれるソース装置の第１の識別情報と、前記ソース装置に割り当てられる第２の識別情報とを対応付けて格納するノード情報テーブルを格納する記憶手段を備え、前記シンク装置用アダプタ装置は、前記シンク装置から読み出した設定情報を記憶手段に格納するステップと、前記シンク装置用アダプタ装置は、前記記憶手段から設定情報を読み出して、前記ソース装置用アダプタ装置からの無線データ信号を無線受信したとき、前記無線受信した無線データ信号に含まれる前記第１の識別情報に対応する前記第２の識別情報を前記ノード情報テーブルから読み出して、当該第２の識別情報と、前記記憶手段から読み出された設定情報とを含む無線データ信号を前記ソース装置用アダプタ装置に無線送信するステップと、前記ソース装置用アダプタ装置は、前記シンク装置用アダプタ装置から無線送信された前記設定情報を含む無線データ信号を無線受信し、前記設定情報に基づいて映像信号を前記シンク装置用アダプタ装置に無線送信するステップとを含むことを特徴とする。
【発明の効果】
【００１８】
従って、本発明に係るシンク装置、ソース装置、シンク装置用アダプタ装置、ソース装置用アダプタ装置、無線通信システム及びその制御方法によれば、シンク装置の表示手段の設定情報を、無線回線を介して送受信するので、配線を無くして外観を整然とさせ、容易に１台のシンク装置が複数のソース装置と通信できるとともに、従来に比べて高速な表示手段の設定情報の読込みを実現できる。
【００１９】
さらに、ソース装置からの無線データ信号に含まれる第１の識別情報に対応する第２の識別情報をノード情報テーブルから読み出して、その第２の識別情報を含む無線データ信号をソース装置に無線送信することにより、容易に各ソース装置に第２の識別情報を設定することができる。
【発明を実施するための最良の形態】
【００２０】
第１の実施形態．
図１は、本発明の第１の実施形態に係る無線通信システムの構成を示すブロック図である。図１において、本実施形態に係る無線通信システムは、例えばテレビジョン受像機等を含むシンク装置１と、例えばＤＶＤプレーヤ等を含むソース装置２及び３とを備えて構成され、シンク装置１及びソース装置２及び３は、ＣＥＣ（Consumer Electronics Control）メッセージを含む無線信号を互いに無線送受信する。図１において、一例として１台のシンク装置１と２台のソース装置２及び３とが無線通信する場合について図示するが、１台のシンク装置１と１台のソース装置とが無線通信しても、１台のシンク装置１と３台以上のソース装置とが無線通信してもよく、若しくはシンク装置１がソース装置に代えてリピータ装置と無線通信してもよい。
【００２１】
図２は、図１のシンク装置１の詳細構成を示すブロック図である。図２において、シンク装置１は、コントローラ１０と、音声信号及び映像信号処理回路９と、ＲＯＭ１１と、ＤＲＡＭ１２と、ディスプレイ１３と、スピーカ１４と、無線送受信回路１５と、アンテナ１６とを備えて構成される。無線送受信回路１５は、アンテナ１６を介してソース装置２又は３から送信された無線ＡＶ信号に対して、周波数変換処理、受信パケット処理及びデコード処理を行った後、処理後の映像信号及び音声信号を含むＡＶ信号を音声信号及び映像信号処理回路９に出力するとともに、アンテナ１６を介して受信された無線データ信号に対して、周波数変換処理、受信パケット処理及びデコード処理を行った後、処理後のデータ信号をコントローラ１０に出力する。また、無線送受信回路１５は、コントローラ１０から出力されるデータ信号をエンコードし、送信パケットを生成して、所定の周波数を有する搬送波を送信パケットに従って変調することにより、無線データ信号を生成してアンテナ１６を介してソース装置２又は３に送信する。
【００２２】
音声信号及び映像信号処理回路９は、無線送受信回路１５から出力されるＡＶ信号を映像信号及び音声信号に分離して、映像信号をディスプレイ１３に出力して表示し、音声信号をスピーカ１４に出力する。ＲＯＭ１１は、プラグアンドプレイを実行するために、ディスプレイ１３の解像度等の設定情報であるＥＤＩＤ情報を含むＥＤＩＤテーブル１１ａを格納する。ＤＲＡＭ１２は、ＥＤＩＤテーブル１２ａと、図４を参照して後述するノード情報テーブル１２ｂとを格納する。一般に、ＤＲＡＭ１２の読み出し速度は、ＲＯＭ１１の読み出し速度よりも速い。
【００２３】
コントローラ１０は、ソース装置２又は３の物理アドレスをシンク装置１に設定するための制御信号（認証要求信号、認証完了信号、ＥＤＩＤ要求信号、ＥＤＩＤ応答信号、接続完了通知信号及び接続完了応答信号を含む。）を含むデータ信号を生成して無線送受信回路１５に出力するとともに、アンテナ１６及び無線送受信回路１５を介してソース装置２又は３から受信したデータ信号に基づいて、無線接続処理（図９を参照して後述する。）を実行する。また、コントローラ１０は、ＲＯＭ１１からの読み出し、ＤＲＡＭ１２からの読み出し、ＤＲＡＭ１２への書き込み、及び音声信号及び映像信号処理回路９の制御を実行する。
【００２４】
図３は、図１のソース装置２，３の詳細構成を示すブロック図である。図３において、ソース装置２，３は、コントローラ２０と、ＤＲＡＭ２１と、ＤＶＤプレーヤ２２と、無線送受信回路２５と、アンテナ２６とを備えて構成される。ＤＶＤプレーヤ２２は、コントローラ２０からの制御に基づいて、ＤＶＤ等の記録媒体に記録された映像信号及び音声信号を読み出して無線送受信回路２５に出力する。無線送受信回路２５は、ＤＶＤプレーヤ２２により読み出された映像信号及び音声信号をエンコードし、送信パケットを生成して、所定の周波数を有する搬送波を生成された送信パケットに従って変調することにより、無線ＡＶ信号を生成してアンテナ２６を介してシンク装置１に送信するとともに、コントローラ２０から出力されるデータ信号をエンコードし、送信パケット処理を生成して、所定の周波数を有する搬送波を、生成された送信パケットに従って変調することにより、無線データ信号を生成してアンテナ２６を介してシンク装置２に送信する。また、無線送受信回路２５は、所定の周波数を有する無線データ信号をシンク装置１からアンテナ２６を介して受信して、周波数変換処理、受信パケット処理及びデコード処理を行った後、処理後のデータ信号をコントローラ２０に出力する。
【００２５】
コントローラ２０は、ソース装置２又は３の物理アドレスをシンク装置１に設定するための制御信号を含むデータ信号を生成して無線送受信回路２５に出力するとともに、アンテナ２６及び無線送受信回路２５を介してシンク装置１から受信したデータ信号に基づいて、無線接続処理（図１０を参照して後述する。）を実行する。また、コントローラ２０は、ＤＲＡＭ２１からの読み出し、ＤＲＡＭ２１への書き込み、ＤＶＤプレーヤ２２の制御を実行する。
【００２６】
図４は、図２のシンク装置１のノード情報テーブル１２ｂの一例を示すテーブルである。図４のノード情報テーブル１２ｂにおいて、シンク装置１と無線通信するソース装置２，３の識別番号と、シンク装置１との間で無線接続処理が完了した各ソース装置２，３の無線インタフェースにおける、例えばＭＡＣアドレスである各装置２，３の機器ＩＤと、各ソース装置２，３のＨＤＭＩにおける物理アドレスとが互いに対応付けられて格納されている。各ソース装置に割り当てられる物理アドレスは、「０．０．０．０」から「Ｆ．Ｆ．Ｆ．Ｆ」までのいずれかの値をとり、シンク装置１自身には例えば物理アドレス「０．０．０．０」が予め割り当てられている。
【００２７】
図５及び図６は、それぞれＥＤＩＤ要求信号及びＥＤＩＤ応答信号の各フォーマットの一例を示す信号構成図である。図５において、ＥＤＩＤ要求信号のフォーマットは、宛先機器ＩＤ領域８０１と、送信元機器ＩＤ領域８０２と、シーケンス番号領域８０３と、タイプ領域８０４とを含む。宛先機器ＩＤ領域８０１は、ＥＤＩＤ要求信号を送信する宛先の装置であるシンク装置１の機器ＩＤを格納する。送信元機器ＩＤ領域８０２は、ＥＤＩＤ要求信号を送信する送信元の装置であるソース装置２又は３の機器ＩＤを格納する。シーケンス番号領域８０３は、コントローラ２０内の内部カウンタに従ったシーケンス番号を格納する。タイプ領域８０４は、ＥＤＩＤ要求信号のタイプを示す値を格納する。図６において、ＥＤＩＤ応答信号のフォーマットは、宛先機器ＩＤ領域９０１と、送信元機器ＩＤ領域９０２と、シーケンス番号領域９０３と、タイプ領域９０４と、ＥＤＩＤ情報領域９０５とを含む。宛先機器ＩＤ領域９０１は、ＥＤＩＤ応答信号を送信する宛先の装置であるソース装置２又は３の機器ＩＤを格納する。送信元機器ＩＤ領域９０２は、ＥＤＩＤ応答信号を送信する送信元の装置であるシンク装置１の機器ＩＤを格納する。シーケンス番号領域９０３は、図５のＥＤＩＤ要求信号のシーケンス番号領域８０３に含まれる値と同一の値を格納する。タイプ領域９０４は、ＥＤＩＤ応答信号のタイプを示す値を格納する。ＥＤＩＤ情報領域９０５は、ＤＲＡＭ１２から読み出されたＥＤＩＤテーブル１２ａのＥＤＩＤ情報が格納される。
【００２８】
図７及び図８は、それぞれ接続完了通知信号及び接続完了応答信号の各フォーマットの一例を示す信号構成図である。図７において、接続完了通知信号のフォーマットは、宛先機器ＩＤ領域１００１と、送信元機器ＩＤ領域１００２と、シーケンス番号領域１００３と、タイプ領域１００４とを有する。宛先機器ＩＤ領域１００１は、接続完了通知信号を送信する宛先の装置であるシンク装置１の機器ＩＤを格納する。送信元機器ＩＤ領域１００２は、接続完了通知信号を送信する送信元の装置であるソース装置２又は３の機器ＩＤを格納する。シーケンス番号領域１００３は、内部カウンタに従ったシーケンス番号を格納する。タイプ領域１００４は、接続完了通知信号のタイプを示す値を格納する。図８において、接続完了応答信号のフォーマットは、宛先機器ＩＤ領域１１０１と、送信元機器ＩＤ領域１１０２と、シーケンス番号領域１１０３と、タイプ領域１１０４とを有する。宛先機器ＩＤ領域１１０１は、接続完了応答信号を送信する宛先の装置であるソース装置２又は３の機器ＩＤを格納する。送信元機器ＩＤ領域１１０２は、接続完了応答信号を送信する送信元の装置であるシンク装置１の機器ＩＤを格納する。シーケンス番号領域１１０３は、接続完了通知信号のシーケンス番号領域１００３に含まれる値と同一の値を格納する。タイプ領域１１０４は、接続完了応答信号のタイプを示す値を格納する。
【００２９】
図９は、図１のシンク装置１のコントローラ１０による無線接続処理を示すフローチャートである。図９のステップＳ１０において、まず、ＲＯＭ１１からＥＤＩＤテーブル１１ａを、ＤＤＣを用いて読み出し、ＤＲＡＭ１２のＥＤＩＤテーブル１２ａに格納する。次に、ステップ１１において、ソース装置２から認証要求信号を受信したか否かを判断し、ＹＥＳのときはステップＳ１２に進む一方、ＮＯのときはステップＳ１１に戻って処理を繰り返す。ステップ１２において、認証要求信号に含まれるソース装置２の機器ＩＤが既にノード情報テーブル１２ｂに格納されているか否かを判断することによって認証処理を行い、ＹＥＳのときはステップＳ１４に進む一方、ＮＯのときはステップＳ１３に進む。ステップＳ１３において、認証要求信号に含まれるソース装置２の機器ＩＤに物理アドレスを割り当て、当該機器ＩＤと当該物理アドレスとを対応付けてノード情報テーブル１２ｂに格納して登録する。ステップＳ１４において、ソース装置２に認証完了信号を送信する。
【００３０】
ステップＳ１５において、ノード情報テーブル１２ｂから認証要求信号に含まれるソース装置２の機器ＩＤに対応するＨＤＭＩにおける物理アドレス（例えば、１．０．０．０）を読み出し、読み出した物理アドレスを、ＥＤＩＤテーブル１２ａ内のＥＤＩＤ情報の物理アドレス格納領域にセットする。ステップＳ１６において、ソース装置２からＥＤＩＤ要求信号を受信したか否かが判断され、ＹＥＳのときはステップＳ１７に進む一方、ＮＯのときはステップＳ１６に戻って処理を繰り返す。ステップＳ１７において、ＤＲＡＭ１２からＥＤＩＤテーブル１２ａを読み出して、ＥＤＩＤテーブル１２ａに含まれるＥＤＩＤ情報をＥＤＩＤ応答信号のＥＤＩＤ情報領域９０５にセットし、ソース装置２にＥＤＩＤ応答信号を送信する。ステップＳ１８において、ソース装置２から接続完了通知を受信したか否かが判断され、ＹＥＳのときはステップＳ１９に進む一方、ＮＯのときはステップＳ１８に戻って処理を繰り返す。ステップＳ１９において、ソース装置２に接続完了応答信号を送信して処理を終了する。以上のシンク装置１のコントローラ１０による無線接続処理は、ソース装置３についても同様に実行される。
【００３１】
図１０は、ソース装置２のコントローラ２０による無線接続処理を示すフローチャートである。図１０のステップＳ２０において、まず、認証要求信号をブロードキャスト送信する。ステップ２１において、シンク装置１から認証完了信号を受信したか否かが判断され、ＹＥＳのときはステップＳ２２に進む一方、ＮＯのときはステップＳ２１に戻って処理を繰り返す。次に、ステップＳ２２において、シンク装置１にＥＤＩＤ要求信号を送信する。ステップＳ２３において、シンク装置１からＥＤＩＤ応答信号を受信したか否かが判断され、ＹＥＳのときはステップＳ２４に進む一方、ＮＯのときはステップＳ２３に戻って処理を繰り返す。次に、ステップＳ２４において、受信されたＥＤＩＤ応答信号に含まれるＥＤＩＤ情報をＲＯＭ２１の仮想ＥＤＩＤテーブル２１ａに格納する。ステップＳ２５において、シンク装置１に接続完了通知信号を送信する。次に、ステップＳ２６において、シンク装置１から接続完了応答信号を受信したか否かが判断され、ＹＥＳのときはステップＳ２７に進む一方、ＮＯのときはステップＳ２６に戻って処理を繰り返す。ステップＳ２７において、ＨＰＤ（Hot Plug Detect）信号をオンにして出力し、シンク装置１によってソース装置２に割り当てられた物理アドレスをＤＲＡＭ２１の仮想ＥＤＩＤテーブル２１ａから読み出してソース装置２自身としての物理アドレスに設定し、仮想ＥＤＩＤテーブル２１ａからＥＤＩＤ情報内のシンク装置１のディスプレイ１３の設定情報を読み出して設定し、処理を終了する。ソース装置２は、設定された設定情報に基づいて、映像信号及び音声信号をシンク装置１に無線送信する。以上のソース装置２のコントローラ２０による無線接続処理は、ソース装置３についても同様に実行される。
【００３２】
図１１は、図１のシンク装置１及びソース装置２，３間で送受信される信号を示すシーケンス図である。図１１において、シンク装置１の電源オン状態において、ソース装置２の電源がオンになると、まず、ソース装置２はシンク装置１に認証要求信号を送信する。シンク装置１は、認証要求信号に応答して認証処理を実行した後、ソース装置２に認証完了信号を送信する。ソース装置２は、認証完了信号に応答して、ＥＤＩＤ要求信号をシンク装置１に送信する。シンク装置１は、ＥＤＩＤ要求信号に応答して、ＥＤＩＤ情報を含むＥＤＩＤ応答信号を送信する。ソース装置２は、ＥＤＩＤ応答信号に応答して、接続完了通知信号をシンク装置１に送信し、シンク装置１は、接続完了通知信号に応答して、接続完了応答信号をソース装置２に送信する。以上の無線接続処理の完了後、シンク装置１から通信相手としてソース装置２を選択するための装置指定信号が送信され、ソース装置２は装置指定信号に応答してＡＣＫ信号をシンク装置１に送信する。その後、シンク装置１及びソース装置２間のＡＶデータ伝送処理が開始される。続いて、ソース装置３の電源がオンになると、シンク装置１はソース装置３との間で同様の通信手順で各信号を送受信する。シンク装置１は、ＥＤＩＤ要求信号に応答して、ＥＤＩＤ情報を含むＥＤＩＤ応答信号を送信することにより、確実にＥＤＩＤ情報及びソース装置２，３に割り当てられた物理アドレスをソース装置２，３に送信し、シンク装置１とソース装置２，３との通信を確立することができる。
【００３３】
以上説明したように、本実施形態に係る無線伝送システムによれば、シンク装置１及びソース装置２間でディスプレイ１３の設定情報を含むＥＤＩＤ情報を無線送受信するので、配線を無くして外観を整然とさせ、容易に１台のシンク装置１が複数のソース装置２，３と通信できるとともに、従来に比べて高速なＥＤＩＤ情報の読込みを実現できる。
【００３４】
なお、本実施形態において、ソース装置２及び３のＤＲＡＭ２１は、仮想ＥＤＩＤテーブル２１ａを格納するが、本発明はこれに限らず、ＥＤＩＤ情報が必要なときに毎回コントローラ２０によりＥＤＩＤ要求信号をシンク装置１に送信してＥＤＩＤ情報を取得してもよい。
【００３５】
また、図４に示したノード情報テーブル１２ｂ、及び、図５〜図８に示した各制御信号のフォーマットは、単なる一例であって、他の構成を有するフォーマットが用いられてもよい。
【００３６】
さらに、シンク装置１において、コントローラ１０によりＲＯＭ１１からＥＤＩＤテーブル１１ａを読み出すとき、ＥＤＩＤ情報の設定情報のうち無線通信に必要な一部の設定情報を選択して読み出してＥＤＩＤテーブル１２ａに格納してもよい。若しくは、ＥＤＩＤ情報のうち、ディスプレイ１３で表示可能でかつ無線送受信回路１５が受信可能な無線データ伝送速度で伝送可能な映像フォーマットのみを送信してもよい。具体的には、例えば、図１４に示すように、例えば、無線データ伝送速度が３Ｇｂｐｓ以下であるとき、ＥＤＩＤ情報に含まれる設定情報の全映像フォーマット情報のうち解像度１０８０ｐに対応する映像フォーマット情報を削除し、無線データ伝送速度が１．５Ｇｂｐｓ以下であるとき、全映像フォーマット情報のうち解像度１０８０ｐ，１０８０ｉに対応する映像フォーマット情報を削除し、無線データ伝送速度が１．３Ｇｂｐｓ以下であるとき、全映像フォーマット情報のうち解像度１０８０ｐ，１０８０ｉ，７２０ｐに対応する映像フォーマット情報を削除し、無線データ伝送速度が０．５Ｇｂｐｓ以下であるとき、全映像フォーマット情報のうち解像度１０８０ｐ，１０８０ｉ，７２０ｐ，４８０ｐに対応する映像フォーマット情報を削除してソース装置２に無線送信してもよい。
【００３７】
またさらに、シンク装置１のＥＤＩＤ情報は、ＥＤＩＤ応答信号に挿入されて無線送信されたが、本発明はこの構成に限らず、ＥＤＩＤ応答信号に代えてシンク装置１から定期的に送信されるビーコン信号等に挿入されて無線送信されてもよい。
【００３８】
なお、図１１において、無線接続処理は、ソース装置２の電源オンのタイミングで実行されたが、これに限らず、シンク装置１のディスプレイ１３の電源投入時や、シンク装置１及びソース装置２，３の接続時等、他のタイミングで実行されてもよい。
【００３９】
第２の実施形態．
図１２は、本発明の第２の実施形態に係る無線通信システムのシンク装置１Ａ及びシンク装置用アダプタ装置３５の構成を示すブロック図である。また、図１３は、本実施形態に係る無線通信システムのソース装置２Ａ及びソース装置用アダプタ装置４５の構成を示すブロック図である。図１２及び図１３において、本実施形態に係る無線通信システムは、シンク装置１Ａと、ソース装置２Ａと、シンク装置用アダプタ装置３５及びソース装置用アダプタ装置４５とを備えて構成される。図１２に示すシンク装置１Ａは、図２のコントローラ１０、ＤＲＡＭ１２、無線送受信回路１５及びアンテナ１６に代えて、コントローラ１０Ａ及び有線送受信回路３３を備えた点において、図２に示した第１の実施形態に係る無線通信システムに係るシンク装置１とは異なる。また、図１３に示すソース装置２Ｂは、図３のコントローラ２０、ＤＲＡＭ２１、無線送受信回路２５及びアンテナ２６に代えて、コントローラ２０Ａ及び有線送受信回路４３を備えた点において、図３に示した第１の実施形態に係る無線通信システムに係るソース装置２とは異なる。それ以外の点については、第１の実施形態に係る無線通信システムと同様であり、同一符号を付した構成要素についての詳細な説明は省略する。
【００４０】
図１２において、シンク装置１Ａの有線送受信回路３３は、ケーブルＣ１を介してシンク装置用アダプタ装置３５からＡＶ信号を受信して、音声信号及び映像信号処理回路９に出力するとともに、ケーブルＣ１を介してシンク装置用アダプタ装置３５からデータ信号を受信して、コントローラ１０Ａに出力する。コントローラ１０Ａは、ＲＯＭ１１からＥＤＩＤテーブル１１ａを読み出して、有線送受信回路３３及びケーブルＣ１を介してシンク装置用アダプタ装置３５に送信する。
【００４１】
シンク装置用アダプタ装置３５は、コントローラ３０と、有線送受信回路３１と、無線送受信回路３２と、ＤＲＡＭ３４と、アンテナ３６とを備えて構成される。有線送受信回路３１は、アンテナ３６及び無線送受信回路３２を介してソース装置２Ａから受信したＡＶ信号を、ケーブルＣ１を介してシンク装置１Ａに送信するとともに、ケーブルＣ１を介してシンク装置１ＡからＡＶ信号及びＥＤＩＤテーブル１１ａを受信して、コントローラ３０に出力する。ＤＲＡＭ３４は、ＥＤＩＤテーブル３４ａと、図４に示したノード情報テーブル１２ｂと同様の構成を有するノード情報テーブル３４ｂとを格納する。ＤＲＡＭ３４内のＥＤＩＤテーブル３４ａは、ＲＯＭ１１内のＥＤＩＤテーブル１１ａの内容を含む。無線送受信回路３２及びアンテナ３６は、第１の実施形態に係る無線通信システムのシンク装置１の無線送受信回路１５、アンテナ１６と同様に構成される。
【００４２】
コントローラ３０は、ソース装置２Ａの物理アドレスをシンク装置用アダプタ装置３５に設定するための制御信号を含むデータ信号を生成して無線送受信回路３２に出力するとともに、アンテナ３６及び無線送受信回路３２を介してソース装置２Ａから受信したデータ信号に基づいて、無線接続処理を実行する。
【００４３】
図１３において、ソース装置２Ａの有線送受信回路４３は、ＤＶＤプレーヤにより読み出された映像信号及び音声信号を、ケーブルＣ２を介してソース装置用アダプタ装置４５に送信する一方、ソース装置用アダプタ装置４５からケーブルＣ２を介して受信した制御情報をコントローラ２０Ａに出力する。コントローラ２０Ａは、有線送受信回路４３から出力された制御情報に基づいてＤＶＤプレーヤ２２を制御する。
【００４４】
ソース装置用アダプタ装置４５は、コントローラ４０と、有線送受信回路４１と、無線送受信回路４２と、ＤＲＡＭ４４と、アンテナ４６とを備えて構成される。有線送受信回路４１は、ケーブルＣ２を介してソース装置２Ａから受信したＡＶ信号を、アンテナ４６及び無線送受信回路４２を介してシンク装置１Ａに送信するとともに、無線送受信回路４２及びアンテナ４６を介してシンク装置用アダプタ装置３５から受信したデータ信号を、ケーブルＣ２を介してシンク装置用アダプタ装置３５に送信する。ＤＲＡＭ４４は、仮想ＥＤＩＤテーブル４４ａを格納する。無線送受信回路４２及びアンテナ４６は、第１の実施形態に係る無線通信システムのソース装置２の無線送受信回路２５、アンテナ２６と同様に構成される。
【００４５】
コントローラ４０は、ソース装置２Ａの物理アドレスをシンク装置用アダプタ装置３５に設定するための制御信号を含むデータ信号を生成して無線送受信回路４２に出力するとともに、アンテナ４６及び無線送受信回路４２を介してシンク装置用アダプタ装置３５から受信したデータ信号に基づいて、無線接続処理を実行する。
【００４６】
以上説明したように、第２の実施形態に係る無線通信システムによれば、有線インタフェースしか備えていないシンク装置１Ａ又はソース装置２Ａにおいても、シンク装置１Ａにシンク装置用アダプタ装置３５を装着し、ソース装置２Ａにソース装置用アダプタ装置４５を装着することで、シンク装置１ＡのＥＤＩＤ情報を無線で読み込むことができ、ソース装置２Ａの物理アドレスを、無線回線を介して設定することが可能となる。
【００４７】
なお、第１及び第２の実施形態において、ＤＲＡＭ１２，２１，３４，４４が用いられた。しかし、本発明はこの構成に限らず、ＤＲＡＭに代えて、ＳＲＡＭ等のさらに高速のメモリ装置が用いられてもよい。
【産業上の利用可能性】
【００４８】
本発明に係るシンク装置、ソース装置、シンク装置用アダプタ装置、ソース装置用アダプタ装置、無線通信システム及びその制御方法によれば、シンク装置及びソース装置間で表示手段の設定情報を無線送受信するので、配線を無くして外観を整然とさせ、容易に１台のシンク装置が複数のソース装置と通信できるとともに、従来に比べて高速な表示手段の設定情報の読込みを実現できる。
【００４９】
本発明に係るシンク装置、ソース装置、シンク装置用アダプタ装置、ソース装置用アダプタ装置、無線通信システム及びその制御方法は、例えば、ＤＶＤプレーヤ及びテレビジョン受像機等のＡＶシステムに利用することができる。
【図面の簡単な説明】
【００５０】
【図１】本発明の第１の実施形態に係る無線通信システムの構成を示すブロック図である。
【図２】図１のシンク装置１の詳細構成を示すブロック図である。
【図３】図１のソース装置２，３の詳細構成を示すブロック図である。
【図４】図２のノード情報テーブル１２ｂの一例を示すテーブルである。
【図５】図１の無線通信システムにおいてソース装置２，３からシンク装置１に無線送信されるＥＤＩＤ要求信号のフォーマットの一例を示す信号構成図である。
【図６】図１の無線通信システムにおいてシンク装置１からソース装置２，３に無線送信されるＥＤＩＤ応答信号のフォーマットの一例を示す信号構成図である。
【図７】図１の無線通信システムにおいてソース装置２，３からシンク装置１に無線送信される接続完了通知信号のフォーマットの一例を示す信号構成図である。
【図８】図１の無線通信システムにおいてシンク装置１からソース装置２，３に無線送信される接続完了応答信号のフォーマットの一例を示す信号構成図である。
【図９】図１のシンク装置１のコントローラ１０による無線接続処理を示すフローチャートである。
【図１０】図１のソース装置２，３のコントローラ２０による無線接続処理を示すフローチャートである。
【図１１】図１のシンク装置１及びソース装置２，３間で送受信される信号を示すシーケンス図である。
【図１２】本発明の第２の実施形態に係る無線通信システムのシンク装置１Ａ及びシンク装置用アダプタ装置１Ｂの構成を示すブロック図である。
【図１３】本発明の第２の実施形態に係る無線通信システムのソース装置２Ａ及びソース装置用アダプタ装置２Ｂの構成を示すブロック図である。
【図１４】本発明の第１の実施形態の変形例に係る無線通信システムにおける無線データ伝送速度毎の削除する映像フォーマットを示すテーブルである。
【符号の説明】
【００５１】
１，１Ａ…ソース装置、
２，２Ａ，３…シンク装置、
９…音声信号及び映像信号処理回路、
１０，２０，１０Ａ，２０Ａ，３０，４０…コントローラ、
１１…ＲＯＭ、
１２，２１，３４，４４…ＤＲＡＭ、
１３…ディスプレイ、
１４…スピーカ、
１５，２５，３２，４２…無線送受信回路、
１６，２６，３６，４６…アンテナ、
２２…ＤＶＤプレーヤ、
３１，３３，４１，４３…有線送受信回路、
３５…シンク装置用アダプタ装置、
４５…ソース装置用アダプタ装置。
【図１】
2008035517.tif 000003
【図２】
2008035517.tif 000004
【図３】
2008035517.tif 000005
【図４】
2008035517.tif 000006
【図５】
2008035517.tif 000007
【図６】
2008035517.tif 000008
【図７】
2008035517.tif 000009
【図８】
2008035517.tif 000010
【図９】
2008035517.tif 000011
【図１０】
2008035517.tif 000012
【図１１】
2008035517.tif 000013
【図１２】
2008035517.tif 000014
【図１３】
2008035517.tif 000015
【図１４】
2008035517.tif 000016